(57)【要約】  【課題】主アームの孔と駆動部材の駆動ピンとの間のガタツキを好適に無くせるようにした、低コストで実現性の高いカメラ用フォーカルプレンシャッタを提供すること。  【解決手段】先羽根は、アーム１６，１７と、それらに枢支された３枚の羽根１８，１９，２０とで構成されていて、それらのアーム１６，１７の一端を、夫々シャッタ地板１の軸１ｇ，１ｉに対して回転可能に取り付けられている。先羽根用駆動部材６は、羽根室外において、シャッタ地板１の軸１ｄに対して回転可能に取り付けられていて、その駆動ピン６ｃを羽根室内でアーム１６の孔１６ａに挿入している。アーム１６は、先端を孔１６ａ側にして孔１６ａの縁の一部となるように形成された可撓性を有する舌部１６ｂを有しているため、駆動ピン６ｃを挿入した状態においては、舌部１６ｂの弾性によって、駆動ピン６ｃとの間にガタツキがないようになっている。【選択図】  図２
2008224986.tif 000002
【特許請求の範囲】
【請求項１】
補助地板との間に少なくとも一つの羽根室を構成しているシャッタ地板と、主アームを含む複数のアームとそれらのアームに枢支された少なくとも１枚の羽根とで構成されておりそれらのアームの一端が前記シャッタ地板に立設された複数の羽根取付軸に対し個々に回転可能に取り付けられている少なくとも一つのシャッタ羽根と、前記シャッタ地板に形成された円弧状の長孔を貫通し前記主アームの孔に挿入した駆動ピンを有していて前記シャッタ地板の羽根室外の面に回転可能に取り付けられており往復回転をすることによって前記シャッタ羽根に開閉作動を行わせる少なくとも一つの駆動部材と、を備えているフォーカルプレンシャッタにおいて、前記主アームは、先端を前記孔側にして前記孔の縁の一部となるように形成し且つ板厚方向へ可撓性を有するようにした舌部を有していて、該舌部は、前記孔に前記駆動ピンを挿入した状態では撓まされていて、その弾性によって、前記先端を前記駆動ピンに接触させるとともに前記先端とは反対側になる前記孔の縁を前記駆動ピンと接触状態にしていることを特徴とするカメラ用フォーカルプレンシャッタ。
【請求項２】
前記舌部の先端は、撮影時における前記駆動ピンの移動方向の反対側で前記駆動ピンに接触していることを特徴とする請求項１に記載のカメラ用フォーカルプレンシャッタ。
【請求項３】
前記舌部が、前記駆動ピンを挿入する前には、前記主アームと同一平面になるように形成されていることを特徴とする請求項１又は２に記載のカメラ用フォーカルプレンシャッタ。
【発明の詳細な説明】
【技術分野】
【０００１】
本発明は、一つ又は二つのシャッタ羽根を備えているカメラ用フォーカルプレンシャッタに関する。
【背景技術】
【０００２】
カメラ用フォーカルプレンシャッタの中には、シャッタ地板，中間板，補助地板と称されている３枚の板部材の間に二つの羽根室を構成し、それらの羽根室に、先羽根，後羽根と称されている二つのシャッタ羽根を個別に配置するようにしたものと、シャッタ地板と補助地板との間に構成された羽根室に、一つのシャッタ羽根を配置するようにしたものとが知られている。そして、前者のフォーカルプレンシャッタは、銀塩フィルムカメラにもデジタルカメラにも採用することができるが、後者のフォーカルプレンシャッタは、デジタルカメラにだけ採用することができるものである。
【０００３】
また、いずれのフォーカルプレンシャッタの場合でも、シャッタ羽根の構成は略同じであり、長さ方向の一端をシャッタ地板に回転可能に取り付けている複数のアームと、それらのアームに枢支された少なくとも１枚の羽根とで構成されている。
【０００４】
更に、シャッタ羽根の駆動部材は、シャッタ地板の羽根室外の面に回転可能に取り付けられており、その駆動ピンを、シャッタ地板に形成された円弧状の長孔から羽根室内に延伸させ、上記のアームの一つに形成されている孔に嵌合させている。それによって、駆動部材が往復回転をすると、シャッタ羽根が露光開口の開閉作動を行うようになっている。そして、その駆動部材は、一方へは、駆動ばねの付勢力によって回転させられ、他方へは、シャッタ地板に回転可能に取り付けられたセット部材によって回転させられるように構成されているのが普通であるが、最近では、そのような駆動ばねを用いることなく、電磁アクチュエータによって、両方向へ回転させるようにしたものも知られている。
【０００５】
このような構成のフォーカルプレンシャッタは、アームに形成されている上記の孔と駆動部材の駆動ピンとの間に大きな嵌合公差（以下、ガタツキという）があると、シャッタ羽根の作動が安定して得られない。そのため、従来から、そのガタツキを無くすための多くの提案がなされているが、それを可能にする一つの構成が、下記の特許文献１に記載されている。
【０００６】
【特許文献１】特開平９−１７１２０６号公報
【発明の開示】
【発明が解決しようとする課題】
【０００７】
特許文献１に記載されているフォーカルプレンシャッタの場合には、シャッタ羽根が、主アームと補助アームと称されている二つのアームと４枚の羽根とで構成されている。そして、主アームは、江戸時代の捕物役人が用いた十手のように二股形状をしており、その二股部（特許文献１においては弾性部）の付勢力を利用して、駆動ピンを挟持するようにしている。しかしながら、周知のように、アームは、薄い材料で製作されているものであるため、アームの一部を、その薄い板厚方向とは直交する方向へ撓み得るようにし、弾性が得られるように製作することは、実際上、非常に難しい。
【０００８】
本発明は、このような問題点を解決するためになされたものであり、その目的とするところは、主アームの形状を工夫することによって、主アームの孔と駆動部材の駆動ピンとの間のガタツキを好適に無くせるようにした、低コストで実現性の高いカメラ用フォーカルプレンシャッタを提供することである。
【課題を解決するための手段】
【０００９】
上記の目的を達成するために、本発明は、補助地板との間に少なくとも一つの羽根室を構成しているシャッタ地板と、主アームを含む複数のアームとそれらのアームに枢支された少なくとも１枚の羽根とで構成されておりそれらのアームの一端が前記シャッタ地板に立設された複数の羽根取付軸に対し個々に回転可能に取り付けられている少なくとも一つのシャッタ羽根と、前記シャッタ地板に形成された円弧状の長孔を貫通し前記主アームの孔に挿入した駆動ピンを有していて前記シャッタ地板の羽根室外の面に回転可能に取り付けられており往復回転をすることによって前記シャッタ羽根に開閉作動を行わせる少なくとも一つの駆動部材と、を備えているフォーカルプレンシャッタにおいて、前記主アームは、先端を前記孔側にして前記孔の縁の一部となるように形成し且つ板厚方向へ可撓性を有するようにした舌部を有していて、該舌部は、前記孔に前記駆動ピンを挿入した状態では撓まされていて、その弾性によって、前記先端を前記駆動ピンに接触させるとともに前記先端とは反対側になる前記孔の縁を前記駆動ピンと接触状態にしているようにする。
【００１０】
その場合、前記舌部の先端は、撮影時における前記駆動ピンの移動方向の反対側で前記駆動ピンに接触しているようにすると、撮影時におけるシャッタ羽根の作動開始状態がより安定する。また、前記舌部が、前記駆動ピンを挿入する前には、前記主アームと同一平面になるように形成されているようにすると、コスト上で有利である。
【発明の効果】
【００１１】
本発明のカメラ用フォーカルプレンシャッタは、主アームに、先端が駆動ピンを挿入する孔の一部を規制するようにして舌部を形成し、その孔に駆動ピンを挿入した状態においては、主アームの板厚方向へ撓まされていて、その弾性によって、その先端を駆動ピンに接触させるとともに、その先端とは反対側の孔の縁をも駆動ピンに接触させるようにしたものであるから、アームの製作が非常に容易であってコスト上で有利であり、孔と駆動ピンの間におけるガタツキを確実に無くすことができ、撮影時におけるシャッタ羽根の作動を安定化させることができるという利点がある。
【発明を実施するための最良の形態】
【００１２】
本発明の実施の形態を、図示した実施例によって説明する。本発明は、上記のように、二つのシャッタ羽根を備えたフォーカルプレンシャッタにも、一つのシャッタ羽根を備えたフォーカルプレンシャッタにも適用することができるものであるが、実施例は、二つのシャッタ羽根を備えたフォーカルプレンシャッタに適用したものである。また、二つのシャッタ羽根を備えたフォーカルプレンシャッタは、上記のように、銀塩フィルムカメラにも、デジタルカメラにも採用することができるが、実施例は、デジタルカメラに採用された場合で説明する。
【実施例】
【００１３】
図１〜図５を用いて本実施例を説明する。尚、図１は、セット状態を被写体側から見た平面図であり、図２は、その同じセット状態を固体撮像素子側から見た平面図である。また、図３は、先羽根の主アームを図２と同様にして示したものであって、図３（ａ）は平面図であり、図３（ｂ）は図３（ａ）のＡ―Ａ線断面図であり、図３（ｃ）は駆動ピンによって撓まされた状態を図３（ｂ）と同じようにして示した断面図である。また、図４は、後羽根の主アームを図２と同様にして示した平面図である。更に、図５は、露光作動を終了した直後の状態を図１と同様にして見て示した平面図であり、図６は、そのときの状態を図２と同様にして見て示した平面図である。
【００１４】
そこで先ず、主に図１〜図４を用いて、本実施例の構成を説明する。シャッタ地板１は、合成樹脂製であって、その略中央部に長方形を横長にした被写体光路用の開口部１ａを有している。シャッタ地板１の固体撮像素子側には、所定の間隔を空けて金属製の中間板２と合成樹脂製の補助地板３が、適宜な手段によって順に取り付けられていて、シャッタ地板１と中間板２との間に先羽根の羽根室を構成し、中間板２と補助地板３の間に後羽根の羽根室を構成している。尚、シャッタ地板１は、図１においては、中間板２と補助地板３の一部が見えるようにするために、右下部を一部切除して示している。また、中間板２の全体形状は、図２に示されている。更に、補助地板３は、その一部が図１に示されているだけであって全体形状を示していないが、シャッタ地板１と略同じ輪郭をしている。そして、図１には、補助地板３に設けられていてシャッタ地板１の被写体側の縁に掛けている二つのフック部３ａ，３ｂが示されている。
【００１５】
図２に示されているように、中間板２の略中央部には、上記の開口部１ａと重なるところに、開口部１ａよりも若干大きい形状の開口部２ａが形成されている。また、図示していないが、補助地板３の略中央部にも、上記の開口部１ａと重なるところに、開口部１ａよりも若干大きい形状の開口部が形成されている。そのため、本実施例におけるシャッタユニットとしての露光開口は、シャッタ地板１の開口部１ａによって規制されている。
【００１６】
シャッタ地板１は、図１において、開口部１ａの左側の領域に、略円弧状をした二つの大きな長孔１ｂ，１ｃを有しており、それらの下端には、平面形状がＣ字形をした周知の緩衝部材４，５を取り付けている。そして、図２から分かるように、中間板２の右側の形状は、これらの長孔１ｂ，１ｃとの重なりを避けるように形成されている。また、図示されていないが、合成樹脂製の補助地板３には、これらの長孔１ｂ，１ｃと重なる領域に、略同じ形状をしているが、貫通をしていない長溝が形成されている。
【００１７】
図１に示されているように、シャッタ地板１の被写体側の面には、軸１ｄ，１ｅ，１ｆが立設されていて、それらに先羽根用駆動部材６，後羽根用駆動部材７，セット部材８が回転可能に取り付けられている。そして、それらのうち、先羽根用駆動部材６と後羽根用駆動部材７は、被押動部６ａ，７ａと、取付部６ｂ，７ｂと、駆動ピン６ｃ，７ｃとを有していて、図示していない周知の先羽根用駆動ばねと後羽根用駆動ばねによって、各々時計方向へ回転するように付勢されている。また、取付部６ｂ，７ｂには、周知の鉄片部材９，１０が取り付けられている。更に、駆動ピン６ｃ，７ｃは、根元側が大径部として形成され、先端側が小径部として形成されていて、上記の長孔１ｂ，１ｃから羽根室内に挿入されている。
【００１８】
また、セット部材８は、押動部８ａ，８ｂと被押動部８ｃとを有していて、図示していない周知の復帰ばねによって反時計方向へ回転するように付勢されているが、図１においては、図示していないカメラ側の部材が被押動部８ｃに接触して、その反時計方向への回転を抑止している。そのため、その抑止が解かれたときには、セット部材８は、反時計方向へ回転させられることになるが、その回転は、シャッタ地板１に設けられた図示していないストッパによって停止させられるようになっている。図５には、そのセット部材８の反時計方向への回転停止位置が示されているが、以下においては、その停止位置を初期位置ということにする。
【００１９】
シャッタ地板１の被写体側の面には、上記の軸１ｄ，１ｅ，１ｆのほか、開口部１ａの左側に、図示していない複数の軸が立設されており、それらの軸の先端に、シャッタ地板１と平行になるようにして、図示していない周知の支持板とプリント配線板とを重ねて取り付けている。そして、プリント配線板よりもシャッタ地板１側に取り付けられた支持板には、周知の先羽根用電磁石と後羽根用電磁石が取り付けられているが、図１及び図５においては、それらの鉄芯１１，１２の配置状態だけが二点鎖線で示されている。
【００２０】
図２に示されているように、シャッタ地板１の羽根室側の面には、被写体側の面に立設されている上記の軸１ｄ，１ｅと同心になるようにして軸１ｇ，１ｈが立設されているほか、軸１ｉ，１ｊ，１ｋが立設されている。そして、それらの軸のうち、軸１ｋの周囲には、リング状をした緩衝部材１３が取り付けられている。また、シャッタ地板１の下方に形成されされている外壁部１ｍには、二つの緩衝部材１４，１５が取り付けられている。
【００２１】
上記したように、シャッタ地板１と中間板２との間の羽根室には先羽根が配置され、中間板２と補助地板３との間の羽根室には後羽根が配置されている。そこで先ず、先羽根の構成を説明する。図２に示されているように、先羽根は、二つのアーム１６，１７と、それらの長さ方向へ順に枢支された３枚の羽根１８，１９，２０とで構成されており、アーム１６，１７は、羽根１８，１９，２０よりもシャッタ地板１側に配置されていて、それらの一端が上記の軸１ｇ，１ｉに回転可能に取り付けられている。そして、二つのアーム１６，１７のうち、アーム１６が主アームであって、アーム１７が副アームであり、３枚の羽根１８，１９，２０のうち、羽根２０がスリット形成羽根である。
【００２２】
また、先羽根の主アームであるアーム１６には、孔１６ａが形成されており、そこに、上記の駆動ピン６ｃが嵌合していて、その先端を、補助地板３に形成された上記の図示していない円弧状の長溝に挿入している。そこで、駆動ピン６ｃと孔１６ａの具体的な嵌合構成を、図３を用いて説明する。図３（ａ）には、アーム１６が図２と同じ姿勢で示されているが、その平面形状から分かるように、アーム１６には、先端を孔１６ａ側にして孔１６ａの縁の一部とした舌部１６ｂが形成されている。そして、その舌部１６ｂは、図３（ｂ）に示されているように、アーム１６の板面と同一面になるように形成されているが可撓性を有していて、図３（ｃ）に示されているように、駆動ピン６ｃを孔１６ａに挿入すると撓まされ、その弾性で先端が駆動ピン６ｃに圧接するとともに、駆動ピン６ｃを孔１６ａの反対側の縁に圧接させている。
【００２３】
尚、本実施例の場合には、このように構成されているが、図３（ｃ）において、駆動ピン６ｃの挿入方向（図３（ｃ）の下方）へ撓まされている舌部１６ｂを、予め、反対方向（図３（ｃ）の上方）へ撓ませておき、そこへ駆動ピン６ｃを挿入するようにしても構わない。また、本実施例の場合、舌部１６ｂは、図３（ｂ）に示されているように、製作段階ではアーム１６の板面と同一面になるように形成されているが、予め、図３（ｂ）の上方又は下方に所定の角度で曲げ加工を施してあってもよい。更に、本実施例のアーム１６，１７は、金属製である必要はなく、合成樹脂製であっても構わない。
【００２４】
他方、図２において、後羽根は、二つのアーム２１，２２と、それらの長さ方向へ順に枢支された３枚の羽根２３，２４，２５とで構成されているが、羽根室内には、先羽根を裏返した状態にして配置されているため、アーム２１，２２は、羽根２３，２４，２５よりも補助地板３側に配置されており、それらの一端が上記の軸１ｈ，１ｊに回転可能に取り付けられている。そして、二つのアーム２１，２２のうち、アーム２１が主アームであって、アーム２２が副アームであり、３枚の羽根２３，２４，２５のうち、羽根２５がスリット形成羽根である。
【００２５】
また、後羽根の主アームであるアーム２１には、孔２１ａが形成されており、そこに、上記の駆動ピン７ｃが嵌合していて、その先端を、補助地板３に形成された上記の図示していない円弧状の長溝に挿入している。そして、アーム２１には、図２と同じ姿勢で示してある図４から分かるように、先端を孔２１ａ側にして孔２１ａの縁の一部を規制するようにした舌部２１ｂが形成されている。しかしながら、図３（ａ）と比較してみれば分かるように、先羽根のアーム１６の舌部１６ｂの場合には、孔１６ａに対して、羽根１８の枢支部側に形成されていたが、後羽根のアーム２１の舌部２１ｂは、孔２１ａに対して、羽根２３の枢支部側に形成されておらず、反対側に形成されている。それ以外のことは、アーム１６について図３を用いて説明したことが、全てアーム２１にも言えるので、それらについての説明は省略する。
【００２６】
尚、このように、本実施例のシャッタ羽根は、先羽根も後羽根も、駆動ピン６ｃ，７ｃに連結されていない副アームは一つずつであるが、二つ以上にしたものも知られている。また、本実施例の場合には、先羽根も後羽根も、３枚ずつの羽根を枢支しているが、１枚ずつにすることも、３枚以外の複数枚ずつにすることも知られているほか、先羽根と後羽根では異なる枚数にすることも知られている。本発明のシャッタ羽根は、それらのうちのどの構成であっても構わない。
【００２７】
次に、本実施例の作動を説明する。図１及び図２は、セット状態、即ち撮影待機状態を示したものである。このとき、セット部材８は、図１に示されているように、図示していないカメラ本体側の部材によって被押動部８ｃを押され、図示していない復帰ばねの付勢力に抗して、初期位置からセット位置まで時計方向へ回転させられ、セット状態を維持されている。また、先羽根用駆動部材６は、セット部材８によって、図示していない先羽根用駆動ばねの付勢力に抗して反時計方向へ回転されており、鉄片部材９を先羽根用電磁石の鉄芯１１に接触させている。そして、先羽根は、３枚の羽根１８〜２０の重なり量を最小にして開口部１ａを覆っている。他方、後羽根用駆動部材７も、セット部材８によって、図示していない後羽根用駆動ばねの付勢力に抗して反時計方向へ回転させられており、鉄片部材１０を後羽根用電磁石の鉄芯１２に接触させている。そのため、後羽根は、３枚の羽根２３〜２５の重なり量を最大にして開口部１ａの上方位置に格納されている。
【００２８】
撮影に際して、レリーズボタンが押されると、先ず、先羽根用電磁石と後羽根用電磁磁石に通電されるので、夫々の鉄芯１１，１２が、鉄片部材９，１０を吸着保持する。その後、セット部材８の被押動部８ｃに対する図示していないカメラ本体側の部材による抑止力が解かれ、セット部材８は、図示していない復帰ばねの付勢力によって図１の位置から反時計方向へ回転させられる。そして、その回転の初期段階において、セット部材８の押動部８ａ，８ｂが各駆動部材６，７の被押動部６ａ，７ａから離れることになるが、その段階においては、各駆動部材６，７は、既に上記のように鉄片部材９，１０が鉄芯１１，１２に吸着保持されているので、露光作動を開始してしまうことがない。その後、セット部材８が初期位置に復帰して停止すると、二つの電磁石に対する通電が、露光制御回路によって決められた時間間隔で順に断たれることになる。
【００２９】
そこで先ず、先羽根用電磁石に対する通電が断たれると、鉄片部材９に対する鉄芯１１の吸引力が失われるため、先羽根用駆動部材６は、図示していない先羽根用駆動ばねの付勢力によって急速に時計方向へ回転させられる。そのため、先羽根は、駆動ピン６ｃによって露光作動を行わされ、３枚の羽根１８〜２０は、羽根同士の重なりを大きくしつつ略下方へ移動し、開口部１ａを上方から開いていく。次に、後羽根用電磁石に対する通電が断たれると、鉄片部材１０に対する鉄芯１２の吸引力が失われるため、後羽根用駆動部材７は、図示していない後羽根用駆動ばねの付勢力によって急速に時計方向へ回転させられる。そのため、後羽根は、駆動ピン７ｃによって露光作動を行わされ、３枚の羽根２３〜２５は、羽根同士の重なりを小さくしつつ略下方へ移動し、開口部１ａを上方から閉じていく。従って、その後は、先羽根の羽根２０と後羽根の羽根２５との間に形成されるスリットにより、固体撮像素子の撮像面を順に露光していくことになるが、本実施例の場合には、アーム１６，２１の孔１６ａ，２１ａの縁が作動方向の前後で駆動ピン６ｃ，７ｃに接触しているので、安定した作動が得られる。
【００３０】
その後、先羽根の羽根２０が開口部１ａから完全に退くと、先羽根用駆動部材６の駆動ピン６ｃが緩衝部材４に当接し、また、先羽根のアーム１６が緩衝部材１３，１４に当接し、さらに、先羽根の羽根１８〜２０が緩衝部材１５に当接することによって、先羽根用駆動部材６と先羽根の作動が停止し、先羽根の３枚の羽根１８〜２０は、開口部１ａの下方位置に格納された状態になる。
【００３１】
ところで、このようにして、先羽根用駆動部材６の駆動ピン６ｃが緩衝部材４に当接したときには、緩衝部材４が、その弾性によって変形し、先羽根用駆動部材６を制動して停止させるようにしているが、駆動ピン６ｃが緩衝部材４に当接したときの力は極めて大きいため、その当接時には、駆動ピン６ｃの力がアーム１６の孔１６ａの縁に大きくかかることになる。ところが、本実施例の場合には、露光作動時において、駆動ピン６ｃが舌部１６ｂとは反対側になる孔１６ａの縁を押すようにしてあるため、可撓性を有する舌部１６を変形させて、駆動ピン６ｃと孔１６ａとの間にガタツキを生じさせるおそれが殆どない。そのため、先羽根はバウンドも抑制されて好適に停止する。しかしながら、仕様により舌部１６が変形させられてもよい場合や、他の構成の工夫によってガタツキが生じにくいようにした場合には、舌部１６ｂの形成位置を変え、駆動ピン６ｃが露光作動時に舌部１６ｂの先端を押すようにしても構わない。そして、そのことは、後羽根の主アームであるアーム２１の場合も同様である。
【００３２】
先羽根の露光作動は、上記のようにして終了するが、後羽根の方は、羽根２５が開口部１ａを覆い終わると、その直後に、後羽根用駆動部材７の駆動ピン７ｃが緩衝部材５に当接する。そして、後羽根用駆動部材７は、駆動ピン７ｃが緩衝部材５に当接すると、緩衝部材５を一時的に圧縮させることによって制動され、上記の先羽根の場合と同様に、バウンドも抑制されて停止する。図５及び図６は、このようにして、後羽根の３枚の羽根２３〜２５によって開口部１ａを閉鎖した露光作動の終了状態を示したものであって、この状態において、撮像情報が固体撮像素子から記憶装置に転送される。
【００３３】
撮像情報が記憶装置に転送されると、直ちにセット作動が行われる。その場合には、図５の状態において、図示していないカメラ本体側の部材がセット部材８の被押動部８ｃを押して、セット部材８を、図示していない復帰ばねの付勢力に抗して時計方向へ回転させる。それによって、セット部材８は、先ず、その押動部８ａが、先羽根用駆動部材６の被押動部６ａを押し、図示していない先羽根用駆動ばねの付勢力に抗して先羽根用駆動部材６を反時計方向へ回転させ始める。そして、その後、先羽根のスリット形成用の羽根２０が、後羽根のスリット形成用の羽根２５に所定量重なると、セット部材８の押動部８ｂが、後羽根用駆動部材７の被押動部７ａを押すことにより、図示していない後羽根用駆動ばねの付勢力に抗して後羽根用駆動部材７を反時計方向へ回転させ始める。そのため、それ以後は、先羽根の羽根１８〜２０が、羽根同士の重なりを小さくしつつ上方へ作動し、後羽根の羽根２３〜２５が、羽根同士の重なりを大きくしつつ上方へ作動していくが、このときには、アーム１６，２１の舌部１６ｂ，２１ｂは、駆動ピン６ｃ，７ｃに押されても、全く撓まされることがない。
【００３４】
このようにして、セット作動が行われてゆき、先羽根の羽根１８〜２０が展開して開口部１ａを覆い、後羽根の羽根２３〜２５が重畳して開口部１ａの上方位置に格納された状態になると、各駆動部材６，７に取り付けられている鉄片部材９，１０が、先羽根用電磁石と後羽根用電磁石の鉄芯１１，１２に接触するようになる。そして、その状態になると、図示していないカメラ本体側の部材による押動が停止することによって、図１，図２に示されたセット状態になり、次の撮影までこの状態で待機することになる。
【００３５】
尚、上記においては、本実施例のフォーカルプレンシャッタがデジタルカメラに採用された場合で説明したが、銀塩フィルムを使用するカメラにも採用できることは言うまでもない。また、デジタルカメラに採用するときには、本実施例のように、シャッタ地板１を被写体側にせず、補助地板３を被写体側にして配置する場合もある。また、本実施例における先羽根用駆動部材６，先羽根，先羽根用電磁石を備えなければ、一つのシャッタ羽根を備えたデジタルカメラ用のフォーカルプレンシャッタになる。そして、そのように構成したものも本発明に含まれる。更に、本実施例の駆動部材６，７は、露光作動時に、駆動ばねの付勢力によって回転させられるが、最近では、上記のような電磁石や駆動ばねを備えず、電磁アクチュエータによって往復回転させられるものも知られている。本発明は、そのような構成のものにも適用される。
【図面の簡単な説明】
【００３６】
【図１】セット状態を被写体側から見た実施例の平面図である。
【図２】セット状態を固体撮像素子側から見た実施例の平面図である。
【図３】実施例における先羽根の主アームを示したものであって、図３（ａ）は図２と同様にして示した平面図であり、図３（ｂ）は図３（ａ）のＡ―Ａ線断面図であり、図３（ｃ）は駆動ピンによって撓まされた状態を図３（ｂ）と同じようにして示した断面図である。
【図４】実施例における後羽根の主アームを示した平面図である。
【図５】露光作動を終了した直後の状態を図１と同様にして見て示した実施例の平面図である。
【図６】露光作動を終了した直後の状態を図２と同様にして見て示した実施例の平面図である。
【符号の説明】
【００３７】
１                                  シャッタ地板
１ａ，２ａ                          開口部
１ｂ，１ｃ                          長孔
１ｄ，１ｅ，１ｆ，１ｇ，１ｈ，１ｉ，１ｊ，１ｋ  軸
１ｍ                                外壁部
２                                  中間板
３                                  補助地板
３ａ，３ｂ                          フック部
４，５，１３，１４，１５            緩衝部材
６                                  先羽根用駆動部材
６ａ，７ａ，８ｃ                    被押動部
６ｂ，７ｂ                          取付部
６ｃ，７ｃ                          駆動ピン
７                                  後羽根用駆動部材
８                                  セット部材
８ａ，８ｂ                          押動部
９，１０                            鉄片部材
１１，１２                          鉄芯
１６，１７，２１，２２              アーム
１６ａ，２１ａ                      孔
１６ｂ，２１ｂ                      舌部
１８，１９，２０，２３，２４，２５  羽根
【図１】
2008224986.tif 000003
【図２】
2008224986.tif 000004
【図３】
2008224986.tif 000005
【図４】
2008224986.tif 000006
【図５】
2008224986.tif 000007
【図６】
2008224986.tif 000008